【手続補正書】
【提出日】平成18年1月5日(2006.1.5)
【手続補正１】
【補正対象書類名】明細書
【補正対象項目名】特許請求の範囲
【補正方法】変更
【補正の内容】
【特許請求の範囲】
【請求項１】  コンピュータ・システムにおけるバス・エージェント間データ転送方法であって、
制御信号を第１のエージェントから第２のエージェントへ前記コンピュータ・システムのバス・クロックによりクロック動作する第１の転送プロトコルを介して転送するステップと、
前記制御信号に対応するデータを前記第１のエージェントから前記第２のエージェントへ第２の転送プロトコルを介して転送するステップで、前記第２の転送プロトコルにより前記第２のエージェントは前記バス・クロックに非同期の前記データのサンプリング可能とされ、前記データは複数のストローブ信号に同期され、前記各ストローブ信号は個別ストローブ線路上にあり、各ストローブ信号が個別データ・チャンクをラッチする前記ステップとを含むことを特徴とする方法。
【請求項２】  コンピュータ・システムにおけるバス・エージェント間データ転送装置であって、
制御信号を第１のエージェントから第２のエージェントへ前記コンピュータ・システムのバス・クロックによりクロック動作する第１の転送プロトコルを介して転送するよう動作可能なバスを備え、
前記バスはさらに前記制御信号に対応するデータを前記第１のエージェントから前記第２のエージェントへ第２の転送プロトコルを介して転送するよう動作可能であり、前記第２の転送プロトコルにより前記第２のエージェントは前記バス・クロックに非同期の前記データをサンプリング可能であり、前記データは複数のストローブ信号に同期され、前記複数のストローブ信号のそれぞれは個別ストローブ線路上にあり、各ストローブ信号が個別データ・チャンクをラッチすることを特徴とする装置。
【請求項３】  １以上の制御信号を複数のバス・エージェントのうちの第１のバス・エージェントから前記複数のバス・エージェントのうちの第２のバス・エージェントへバス・クロックに基づく共通クロック・プロトコルに従って転送するステップと、
前記１以上の制御信号に対応するデータを前記第１のバス・エージェントから前記第２のバス・エージェントへ前記バス・クロックに非同期の前記データと前記第２のバス・エージェントにサンプリングさせるソース同期データ転送プロトコルに従って転送するステップで、前記データを複数のストローブ信号に同期させ、前記複数のストローブ信号のそれぞれは個別ストローブ線路上にあり、各ストローブ信号が個別データ・チャンクをラッチする前記ステップとを含むことを特徴とするバス・エージェント間データ転送方法。
【請求項４】  バス・トランザクションの所定位相を示す制御信号を第１のバス・エージェントから第２のバス・エージェントへバス・クロックによりクロック動作する第１の転送プロトコルに従って転送するステップと、
前記バス・トランザクションに関連するデータを前記第１のバス・エージェントから前記第２のバス・エージェントへ複数のストローブ信号を含む第２のトランザクション・プロトコルに従って転送するステップで、前記複数のストローブ信号のそれぞれは個別ストローブ線路上にあり、前記複数のストローブ信号により前記第２のバス・エージェントが前記バス・クロックに非同期の１以上の独立したストローブ信号を用いてデータをサンプリング可能とされる前記ステップとを含むことを特徴とするバス・エージェント間データ転送方法。
【請求項５】  制御信号をコンピュータ・システムの第１のエージェントから前記コンピュータ・システムの第２のエージェントへ第１のレートでクロック動作する第１の転送プロトコルを介して転送するステップで、前記第１のレートが前記コンピュータ・システムのバス・クロックのレートである前記ステップと、
前記制御信号に対応するデータを前記第１のエージェントから前記第２のエージェントへ第２のレートでクロック動作する第２の転送プロトコルを介して転送するステップで、前記第２のレートは前記制御信号により決まり、前記データは複数のストローブ信号に同期され、前記複数のストローブ信号のそれぞれは個別ストローブ線路上にあり、各ストローブ信号が個別データ・チャンクをラッチする前記ステップとを含むことを特徴とするバス・エージェント間データ転送方法。
【請求項６】  制御信号をコンピュータ・システムの第１のエージェントから前記コンピュータ・システムの第２のエージェントへ前記コンピュータ・システムのバス・クロックのレートにて転送するステップと、
前記制御信号に対応するデータを前記第１のエージェントから前記第２のエージェントへ前記制御信号により選択された第２のレートで転送するステップで、前記第２のレートが前記バス・クロックのレートか又は前記バス・クロックのレートの２倍のレートのいずれかである前記ステップと、
前記制御信号が前記バス・クロックの２倍のレートを選択する場合、
第１のストローブを第１のストローブ線路上で、第２のストローブを第２のストローブ線路上で転送するステップと、
第１のデータ・チャンクを前記第１のストローブのタイミングに基づきラッチするステップと、
第２のデータ・チャンクを前記第２のストローブのタイミングに基づきラッチするステップとを含むことを特徴とするバス・エージェント間データ転送方法。
【請求項７】  コンピュータ・システムであって、
バスと、
バス・クロックと、
前記バスに接続した第１のエージェント及び第２のエージェントとを備え，
前記第１のエージェントが制御信号を前記第２のエージェントへ前記バス・クロックのレートで転送し、
前記第１のエージェントがデータ信号を前記第２のエージェントへ前記制御信号により決められたレートで転送し、前記データ信号は複数のストローブ信号に同期され、前記複数のストローブ信号のそれぞれは個別ストローブ線路上にあり、各ストローブ信号が個別データ・チャンクをラッチすることを特徴とするコンピュータ・システム。
【請求項８】  バス・クロックに同期した第１群の信号を共通クロック周波数の共通クロック・プロトコルを用いて転送するバス・コントローラを備え、
前記バス・コントローラが第２群の信号をソース同期プロトコルを用いて転送し、前記第２群の信号は複数のストローブ信号に同期させてあり、前記複数のストローブ信号のそれぞれは個別ストローブ線路上にあり、各ストローブ信号が個別データ・チャンクをラッチし、前記第２群の信号は前記複数のストローブ信号に対しオフセットさせて転送し、前記第２群の信号は前記バス・クロックに対し一定のタイミング関係でもって転送し、前記第２群の信号は複数の共通クロック周波数にて転送することを特徴とするバス・エージェント間データ転送装置。
【請求項９】  バス・クロックに同期した複数の制御信号を共通クロック周波数の共通クロック・プロトコルを用いて転送するバス・コントローラで、前記複数の制御信号をバス・トランザクションの複数位相期間中に通信する前記バス・コントローラと、
前記バス・コントローラは第２群の信号をソース同期プロトコルを用いて転送し、前記第２群の信号は複数のストローブ信号に同期させてあり、前記複数のストローブ信号のそれぞれは個別ストローブ線路上にあり、前記第２群の信号は前記バス・トランザクションの前記複数位相の小集合期間中にのみ転送し、前記第２群の信号を前記共通クロック周波数の２倍で転送し、前記複数のストローブ信号は前記バス・クロックのバス・クロック周期のほぼ２５％点とほぼ７５％点にてストローブ遷移をもたらすよう整列させ、前記バス・コントローラが前記バス・クロック周期のほぼ立ち上がりエッジと前記バス・クロック周期のほぼ５０％点で前記第２群の信号を転送し、
前記複数の制御信号は前記第２群の信号を介して有効情報の転送を発信する少なくとも一つの制御信号を含むことを特徴とするバス・エージェント間データ転送装置。
【請求項１０】  バス・クロックに同期した複数の制御信号を共通クロック周波数の共通クロック・プロトコルを用いて転送するバス・コントローラで、前記複数の制御信号をバス・トランザクションの複数位相期間中に通信する前記バス・コントローラを備え、
前記バス・コントローラが第２群の信号をソース同期プロトコルを用いて転送し、前記第２群の信号は複数のストローブ信号に同期させてあり、前記複数のストローブ信号のそれぞれは個別ストローブ線路上にあり、各ストローブ信号が個別データ・チャンクをラッチし、前記第２群の信号は前記バス・トランザクションの前記複数位相の小集合期間中にのみ転送し、前記第２群の信号は前記共通クロック周波数の倍数で転送し、
前記複数の制御信号が前記ソース同期プロトコルを用いて有効情報の転送を発信する共通クロック・プロトコルを介して転送する少なくとも一つの制御信号を含み、前記少なくとも一つの制御信号が前記有効情報もまた転送する位相期間中に転送する有効情報の転送を発信する共通クロック・プロトコルを用いて転送することを特徴とするバス・エージェント間データ転送装置。
【請求項１１】  バス・クロックに同期した第１群の信号を共通クロック周波数の共通クロック・プロトコルを用いて転送するバス・コントローラで、前記第１群の信号がバス・トランザクションの複数位相期間中に通信する複数ストローブ線路上の複数制御信号を含む前記バス・コントローラを備え、
前記バス・コントローラが第２群の信号をソース同期プロトコルを用いて転送し、前記第２群の信号が前記複数のストローブ信号に同期させてあり、前記複数のストローブ信号のそれぞれは個別ストローブ線路上にあり、各ストローブ信号が個別のＮ個の要素をラッチし、前記第２群の信号は前記バス・トランザクションの前記複数位相の小集合期間中にのみ転送し、前記第２群の信号は前記共通クロック周波数のＮ倍で転送し、前記第２群の信号は前記共通クロック周波数の１クロック周期に等しい信号転送時間期間中にて転送するＮ個の要素を有し、前記複数のストローブ信号は前記Ｎ個の要素それぞれのぼ中心点にてストローブ遷移をもたらすよう整列させたことを特徴とするバス・エージェント間データ転送装置。
【請求項１２】  バス・クロックに同期した第１群の信号を共通クロック周波数の共通クロック・プロトコルを用いて転送するバス・コントローラで、前記第１群の信号がバス・トランザクションの複数位相期間中に通信する複数の制御信号を含む前記バス・コントローラを備え、
前記バス・コントローラが第２群の信号をソース同期プロトコルを用いて転送し、前記第２群の信号は複数のストローブ信号に同期させてあり、前記複数のストローブ信号のそれぞれは個別ストローブ線路上にあり、前記第２群の信号は前記バス・トランザクションの前記複数位相の小集合期間中にのみ転送し、前記第２群の信号は前記共通クロック周波数の２倍で転送し、前記第２群の信号は前記共通クロック周波数の１クロック周期に等しい信号転送時間期間中に転送する二つの要素を有し、第１の要素を前記第２群の信号を介して前記信号転送時間期間のほぼ始期に転送し、第２の要素を前記第２群の信号を介して前記信号転送時間期間のほぼ５０％点で転送し、前記複数のストローブ信号のうちの第１のストローブ信号は前記信号転送時間期間のほぼ２５％点にて遷移させ、前記複数のストローブ信号のうちの第２のストローブ信号は前記信号転送時間期間のほぼ７５％点にて遷移させ、
前記複数の制御信号が前記第２群の信号を介する有効情報の転送を発信する少なくとも一つの制御信号を含むことを特徴とするバス・エージェント間データ転送装置。
【請求項１３】  バス・コントローラを介してバス・クロックに同期した第１群の信号を共通クロック周波数の共通クロック・プロトコルを用いて転送するステップと、
前記バス・コントローラを介して第２群の信号をソース同期プロトコルを用いて転送するステップで、前記第２群の信号を複数のストローブ信号に同期させ、前記複数のストローブ信号のそれぞれは個別ストローブ線路上にあり、前記第２群の信号は前記複数のストローブ信号に対しオフセットさせて転送し、前記第２群の信号を前記バス・クロックに対し一定のタイミング関係でもって転送するステップで、前記第２群の信号を前記共通クロック周波数の倍数にて転送し、前記複数のストローブ信号が相補的波形を有する１以上のストローブ信号対を含む前記ステップとを含むことを特徴とする転送方法。
【請求項１４】  バス・コントローラを結合した制御バスを介してバス・クロックに同期した第１群の信号を共通クロック周波数の共通クロック・プロトコルを用いて転送するステップで、前記第１群の信号がバス・トランザクションの複数位相期間中に通信する複数の制御信号を含む前記ステップと、
前記バス・コントローラを結合したデータバスを介してデータ信号群をソース同期プロトコルを用いて転送するステップで、前記データ信号群は複数のストローブ信号に同期させてあり、前記複数のストローブ信号のそれぞれは個別ストローブ線路上にあり、前記データ信号群は前記バス・トランザクションの前記複数位相の小集合期間中にのみ転送し、前記データ信号群は前記共通クロック周波数の２倍で転送し、前記複数のストローブ信号は前記バス・クロックのバス・クロック周期のほぼ２５％点とほぼ７５％点でストローブ遷移をもたらすよう整列させてあり、前記バス・コントローラは前記第２群の信号を前記バス・クロック周期のほぼ立ち上がり点と前記バス・クロック周期のほぼ５０％点で転送する前記ステップとを含む前記ステップとを含み、
前記複数の制御信号が、前記共通クロック・プロトコルを介して前記制御バスと前記データバスとに結合した目標へ転送されて前記ソース同期プロトコルを用いて有効情報の転送を発信する少なくとも一つの制御信号を含むことを特徴とする転送方法。
【請求項１５】  バス・コントローラを介してバス・クロックに同期した第１群の信号を共通クロック周波数の共通クロック・プロトコルを用いて転送するステップで、前記第１群の信号がバス・トランザクションの複数位相期間中に通信する複数の制御信号を含む前記ステップと、
前記バス・コントローラを介して第２群の信号をソース同期プロトコルを用いて転送するステップで、前記第２群の信号は複数のストローブ信号に同期させてあり、前記複数のストローブ信号のそれぞれは個別ストローブ線路上にあり、各ストローブ信号が個別データ・チャンクをラッチし、前記第２群の信号は前記バス・トランザクションの前記複数位相の小集合期間中にのみ転送し、前記第２群の信号は前記共通クロック周波数の倍数で転送する前記ステップとを含み、
前記複数の制御信号が前記共通クロック・プロトコルを介して転送されてソース同期プロトコルを用いて有効情報の転送を発信する少なくとも一つの制御信号を含み、前記共通クロック・プロトコルを用いて転送されて前記有効情報の転送を発信する前記少なくとも一つの制御信号を前記有効情報もまた転送する位相期間中に転送することを特徴とする転送方法。
【請求項１６】  バス・コントローラを介してバス・クロックに同期した第１群の信号を共通クロック周波数の共通クロック・プロトコルを用いて転送するステップで、前記第１群の信号がバス・トランザクションの複数位相期間中に通信する複数の制御信号を含む前記ステップと、
前記バス・コントローラを介して第２群の信号をソース同期プロトコルを用いて転送するステップで、前記第２群の信号が複数のストローブ信号に同期させてあり、前記複数のストローブ信号のそれぞれは個別ストローブ線路上にあり、各ストローブ信号が個別のＮ個の要素をラッチし、前記第２群の信号は前記バス・トランザクションの前記複数位相の小集合期間中にのみ転送し、前記第２群の信号は前記共通クロック周波数のＮ倍で転送し、前記第２群の信号は前記バス・クロックの１クロック周期に等しい信号転送時間期間にて転送されるＮ個の要素を有し、前記複数のストローブ信号は前記Ｎ個の要素のそれぞれのほぼ中心点にてストローブ遷移をもたらすよう整列させたことを特徴とする転送方法。
【請求項１７】  バス・コントローラを介してバス・クロックに同期した第１群の信号を共通クロック周波数の共通クロック・プロトコルを用いて転送するステップで、前記第１群の信号がバス・トランザクションの複数位相期間中に通信する複数の制御信号を含む前記ステップと、
前記バス・コントローラを介して第２群の信号をソース同期プロトコルを用いて転送するステップで、前記第２群の信号は複数のストローブ信号に同期させてあり、前記複数のストローブ信号のそれぞれは個別ストローブ線路上にあり、前記第２群の信号は前記バス・トランザクションの複数位相の小集合期間中にのみ転送し、前記第２群の信号は前記共通クロック周波数の２倍で転送し、前記第２群の信号は前記バス・クロックの１クロック周期に等しい信号転送時間期間内に転送する二つの要素を有し、第１の要素を前記第２群の信号を介して前記信号転送時間期間のほぼ始期に転送し、第２の要素を前記第２群の信号を介して前記信号転送時間期間のほぼ５０％点で転送し、前記複数のストローブ信号を前記信号転送時間期間のほぼ２５％点と前記信号転送時間期間のほぼ７５％点にて遷移するよう整列させた前記ステップとを含み、
前記複数の制御信号が前記ソース同期プロトコルを用いて有効情報の転送を発信する共通クロック・プロトコルを介して転送される少なくとも一つの制御信号を含むことを特徴とする転送方法。
【請求項１８】  コンピュータ・システムであって、
バスと、
バス・クロックと、
前記バスに結合したプロセッサで、バス・コントローラを含む前記プロセッサとを備え、
前記バス・コントローラが前記バス・クロックに同期した第１群の信号を共通クロック周波数の共通クロック・プロトコルを用いて転送し、
前記バス・コントローラが第２群の信号をソース同期プロトコルを用いて転送し、前記第２群の信号は複数のストローブ信号に同期させてあり、前記複数のストローブ信号のそれぞれは個別ストローブ線路上にあり、前記第２群の信号は前記複数のストローブ信号に対しオフセットさせて転送し、前記第２群の信号を前記バス・クロックにタイミング同期させて転送し、前記第２群の信号を共通クロック周波数の複数倍にて転送し、前記複数のストローブ信号が相補的波形を有する１以上のストローブ信号対を含むことを特徴とするコンピュータ・システム。
【請求項１９】  コンピュータ・システムであって、
バスと、
バス・クロックと、
前記バスに結合したプロセッサで、バス・コントローラを含む前記プロセッサとを備え、
前記バス・コントローラがバス・クロックに同期した第１群の信号を共通クロック周波数の共通クロック・プロトコルを用いて転送し、前記第１群の信号がバス・トランザクションの複数位相期間中に通信する複数の制御信号を含み、
前記バス・コントローラが第２群の信号をソース同期プロトコルを用いて転送し、前記第２群の信号は複数のストローブ信号に同期させてあり、前記複数のストローブ信号のそれぞれは個別ストローブ線路上にあり、前記第２群の信号を前記バス・トランザクションの前記複数位相の小集合期間中にのみ転送し、前記第２群の信号を前記共通クロック周波数の２倍で転送し、前記複数のストローブ信号は前記バス・クロックのバス・クロック周期のほぼ２５％点とほぼ７５％点でストローブ遷移をもたらすよう整列させ、前記バス・コントローラが前記第２群の信号を前記バス・クロック周期のほぼ立ち上がりエッジと前記バス・クロック周期のほぼ５０％点で転送し、
有効情報の転送を発信する前記共通クロック・プロトコルを介して転送される少なくとも一つの制御信号を含む前記複数の制御信号は、前記ソース同期プロトコルを用いて転送することを特徴とするコンピュータ・システム。
【請求項２０】  コンピュータ・システムであって、
バスと、
バス・クロックと、
前記バスに結合したプロセッサで、バス・コントローラを含む前記プロセッサとを備え、
前記バス・コントローラがバス・クロックに同期した第１群の信号を共通クロック周波数の共通クロック・プロトコルを用いて転送し、前記第１群の信号がバストランザクションの複数位相期間中に通信する複数の制御信号を含み、
前記バス・コントローラが第２群の信号をソース同期プロトコルを用いて転送し、前記第２群の信号は複数のストローブ信号に同期させてあり、前記複数のストローブ信号のそれぞれは個別ストローブ線路上にあり、各ストローブ信号が個別データ・チャンクをラッチし、前記第２群の信号は前記バス・トランザクションの前記複数位相の小集合期間中にのみ転送し、前記第２群の信号は共通クロック周波数の倍数にて転送し、
前記複数の制御信号が前記ソース同期プロトコルを用いて有効情報の転送を発信する共通クロック・プロトコルを介して転送される少なくとも一つの制御信号含み、前記有効情報の転送を発信する前記共通のクロック・プロトコルを用いて転送する前記少なくとも一つの制御信号は前記有効情報もまた転送する位相期間中に転送することを特徴とするコンピュータ・システム。
【請求項２１】  コンピュータ・システムであって、
バスと、
バス・クロックと、
前記バスに結合したプロセッサで、バス・コントローラを含む前記プロセッサとを備え、
前記バス・コントローラがバス・クロックに同期した第１群の信号を共通クロック周波数の共通クロック・プロトコルを用いて転送し、前記第１群の制御信号はバス・トランザクションの複数位相期間中に通信する複数の制御信号を含み、
前記バス・コントローラは第２群の信号をソース同期プロトコルを用いて転送し、前記第２群の信号は複数のストローブ信号に同期しており、前記複数のストローブ信号のそれぞれは個別ストローブ線路上にあり、各ストローブ信号が個別のＮ個の要素をラッチし、前記第２群の信号は前記バス・トランザクションの前記複数位相の小集合期間中にのみ転送し、前記第２群の信号は前記共通クロック周波数のＮ倍にて転送し、前記第２群の信号が前記バス・クロックの１クロック周期に等しい信号転送時間期間中に転送するＮ個の要素を有し、前記複数のストローブ信号は前記Ｎ個の要素のそれぞれのほぼ中心点にてストローブ遷移をもたらすよう整列させたことを特徴とするコンピュータ・システム。
【請求項２２】  コンピュータ・システムであって、
バスと、
バス・クロックと、
前記バスに結合したプロセッサで、バス・コントローラを含む前記プロセッサと、
前記バス・クロックに同期した第１群の信号を共通クロック周波数の共通クロック・プロトコルを用いて転送するバス・コントローラで、前記第１群の信号がバス・トランザクションの複数位相期間中に通信する複数の制御信号を含む前記バス・コントローラとを備え、
前記バス・コントローラが第２群の信号をソース同期プロトコルを用いて転送し、前記第２群の信号は複数のストローブ信号に同期させてあり、前記複数のストローブ信号のそれぞれは個別ストローブ線路上にあり、前記第２群の信号は前記バス・トランザクションの複数位相の小集合期間中にのみ転送し、前記第２群の信号は前記共通クロック周波数の２倍で転送し、前記第２群の信号は前記バス・クロックの１クロック周期に等しい信号転送時間期間内に転送する二つの要素を有し、第１の要素を前記第２群の信号を介して前記信号転送時間期間のほぼ始期に転送し、第２の要素を前記第２群の信号を介して前記信号転送時間期間のほぼ５０％点で転送し、前記複数のストローブ信号の第１のストローブ信号は前記信号転送時間期間のほぼ２５％点にて遷移させ、前記複数のストローブ信号の第２のストローブ信号は前記信号転送時間期間のほぼ７５％点にて遷移させ、
前記複数の制御信号が前記ソース同期プロトコルを用いて有効情報の転送を発信する共通クロック・プロトコルを介して転送される少なくとも一つの制御信号を含むことを特徴とするコンピュータ・システム。
【請求項２３】  バス・コントローラであって、
複数の制御信号をバス・トランザクションの複数位相のうちの幾つかにて転送する第１の複数の信号インタフェースで、前記複数の制御信号を共通クロック・プロトコルに従い共通クロック周波数にて転送する前記第１の複数の信号インタフェースと、
複数の情報信号を前記バス・トランザクションの前記複数位相のうちの一つの期間中に転送する第２の複数の信号インタフェースで、前記複数の情報信号を複数のストローブ信号と併せ転送し、前記複数のストローブ信号のそれぞれは個別ストローブ線路上にあり、前記複数の情報信号をソース同期態様で転送し、線路複数のストローブ信号が相補的波形を有する１以上のストローブ信号対を含む前記第２の複数の信号インタフェースとを備えることを特徴とするバス・コントローラ。
【請求項２４】  Ｎ相のバス・トランザクションそれぞれに第１の複数の信号を転送するステップで、前記第１の複数の信号を共通クロック・プロトコルに従う共通クロック周波数にて転送する前記ステップと、
第２の複数の信号を前記バス・トランザクションのＮ個の位相のうちのＭ個の位相期間中に転送するステップで、ＭはＮ未満であり、前記第２の複数の信号を複数のストローブ信号と併せ転送し、前記複数のストローブ信号のそれぞれは個別ストローブ線路上にあり、各ストローブ信号が個別データ・チャンクをラッチし、前記第２の複数の信号をソース同期態様にて転送する前記ステップとを含むことを特徴とする転送方法。
【請求項２５】  コンピュータ・システムであって、
バスと、
共通クロックと、
複数のバス・トランザクションについて複数位相ごとに第１の複数の信号を転送し受信する第１の複数の信号インタフェースで、前記複数の制御信号を共通クロック・プロトコルに従う前記共通クロックの周波数にて転送する前記第１の複数の信号インタフェースと、
前記複数の位相の小集合期間中に第２の複数の信号を転送する第２の複数の信号インタフェースで、前記第２の複数の信号は複数のストローブ信号と併せ転送し、前記複数のストローブ信号のそれぞれは個別ストローブ線路上にあり、各ストローブ信号が個別データ・チャンクをラッチし、前記第２の複数の信号をソース同期態様で転送する前記第２の複数の信号インタフェースとを備えることを特徴とするコンピュータ・システム。
【請求項２６】  バス・クロックに同期した第１群の信号を共通クロック周波数の共通クロック・プロトコルを用いて転送するバス・コントローラで、前記第１群の信号が前記ソース同期プロトコルを用いて有効データ要素の転送を発信するバス・クロックに同期した少なくとも一つの信号を含む前記バス・コントローラを備え、
前記バス・コントローラが第２群の信号をソース同期プロトコルを用いて転送し、前記第２群の信号は複数のストローブ信号に同期させてあり、前記複数のストローブ信号のそれぞれは個別ストローブ線路上にあり、各ストローブ信号がデータ・チャンクをラッチすることを特徴とする装置。
【請求項２７】  バス・クロックに同期した第１群の信号を共通クロック周波数の共通クロック・プロトコルを用いて転送するステップで、前記第１群の信号が前記ソース同期プロトコルを用いて有効データ要素の転送を発信するバス・クロックに同期した少なくとも一つの信号を含む前記ステップと、
第２群の信号をソース同期プロトコルを用いて転送するステップで、前記第２群の信号は複数のストローブ信号に同期させてあり、前記複数のストローブ信号のそれぞれは個別ストローブ線路上にあり、各ストローブ信号がデータ・チャンクをラッチすることを特徴とする方法。
【請求項２８】  コンピュータ・システムであって、
バスと、
バス・クロックと、
前記バスに結合したプロセッサで、バス・コントローラを含む前記プロセッサとを備え、
前記バス・コントローラが前記バス・クロックに同期した第１群の信号を共通クロック周波数の共通クロック・プロトコルを用いて転送し、前記第１群の信号が前記ソース同期プロトコルを用いて有効データ要素の転送を発信する前記バス・クロックに同期した少なくとも一つの信号を含み、
前記バス・コントローラが第２群の信号をソース同期プロトコルを用いて転送し、前記第２群の信号は複数のストローブ信号に同期させてあり、前記複数のストローブ信号のそれぞれは個別ストローブ線路上にあり、各ストローブ信号が個別データ・チャンクをラッチすることを特徴とするコンピュータ・システム。
【請求項２９】  バス・コントローラであって、
バス・クロックに同期した第１群の信号を共通クロック周波数の共通クロック・プロトコルを用いて転送する第１のバス・インタフェースと、
第２群の信号を多相バス・トランザクションの一部として転送する第２のバス・インタフェースで、前記多相バス・トランザクションは１以上の前記第１群の信号に関連付けてあり、前記第２群の信号をソース同期プロトコルを用いて転送し、複数のストローブ信号に同期させ、前記複数のストローブ信号のそれぞれは個別ストローブ線路上にあり、各ストローブ信号が個別データ・チャンクをラッチし、前記第２群の信号はまた前記複数のストローブ信号に対しオフセットさせて転送し、前記バス・クロックに対し一定のタイミング関係を有する前記第２のバス・インタフェースとを備えることを特徴とするバス・コントローラ。